(57)【特許請求の範囲】
【請求項１】
駆動手段と、
積層されたシートを一枚ずつ分離しつつ所定の搬送経路に沿って搬送する分離手段と、
前記駆動手段の駆動力に基づいて、前記分離手段によって分離されたシートを、前記搬送経路に沿って搬送する搬送手段と、
前記搬送経路に沿って搬送されるシートの画像を読み取る読取手段と、
を有する画像読取装置であって、
前記搬送手段に対して付与された駆動力を、所定の減速比で減速して伝達する減速機構部と、
前記分離手段は、
前記減速機構部を介して伝達された駆動力によって回転駆動する駆動軸と、前記駆動軸に対して所定範囲内で空転可能に配設され、前記積層されたシートに当接する当接部と、前記駆動軸に対する前記当接部の位置関係に基づいて、前記駆動軸に付与された駆動力を、前記当接部に対して供給又は切断するクラッチ機構と、を有する分離ローラを備え、
前記分離手段に対して、前記搬送経路上におけるシートの搬送方向下流側に位置し、前記搬送経路に沿って搬送されるシートの端部と接触することで動作する作動部材と、前記作動部材の動作に基づいて、前記シートの端部を検出する検出部と、を有する端部検出手段と、
前記シートのサイズを検出するサイズ検出手段と、
前記サイズ検出手段によって検出された当該シートのサイズが所定サイズよりも大きい場合、所定の第１搬送速度で当該シートを搬送するように、前記駆動手段を介して、前記搬送手段によるシートの搬送速度を制御し、
前記サイズ検出手段によって検出された当該シートのサイズが所定サイズ以下である場合に、前記第１搬送速度よりも低速な第２搬送速度で当該シートを搬送するように、前記駆動手段を介して、前記搬送手段によるシートの搬送速度を制御する制御手段と、を有する
ことを特徴とする画像読取装置。
【請求項２】
請求項１記載の画像読取装置であって、
前記サイズ検出手段は、
当該シートが、異なる複数のサイズの何れに該当するかを検出し、
前記制御手段は、
前記サイズ検出手段によって検出された当該シートのサイズが小さい程、低速に規定された搬送速度で当該シートを搬送するように、前記駆動手段を介して、前記搬送手段による当該シートの搬送速度を制御する
ことを特徴とする画像読取装置。
【請求項３】
請求項１又は請求項２記載の画像読取装置であって、
前記読取手段によって、前記シートから読み取られた画像の解像度を、ユーザ所望の解像度に設定可能な解像度設定手段と、
前記解像度設定手段により設定された解像度に基づいて、当該解像度に対応するシートの搬送速度を特定する搬送速度特定手段と、
前記サイズ検出手段の検出結果に基づく搬送速度と、前記搬送速度特定手段により特定された搬送速度とを比較する比較手段と、
前記制御手段は、
前記比較手段によって、前記サイズ検出手段の検出結果に基づく搬送速度が、前記搬送速度特定手段により特定された搬送速度よりも低速である場合に、前記サイズ検出手段の検出結果に基づく搬送速度で、シートを搬送しつつ、前記読取手段によって画像を読み取り、前記解像度設定手段で設定された解像度で出力する
ことを特徴とする画像読取装置。
【請求項４】
請求項３記載の画像読取装置であって、
前記制御手段は、
前記比較手段によって、前記サイズ検出手段の検出結果に基づく搬送速度が、前記搬送速度特定手段により特定された搬送速度よりも低速である場合に、前記サイズ検出手段の検出結果に基づく搬送速度に対応する解像度で、前記シートの画像を読取手段により読み取るように制御する読取制御手段と、
前記読取制御手段による制御に従って読み取られた画像の解像度を、前記解像度設定手段により設定された解像度に変換する解像度変換手段と、
前記解像度変換手段によって、前記解像度設定手段で設定された解像度に変換された画像を出力する出力手段と、を有する
ことを特徴とする画像読取装置。
【発明の詳細な説明】
【技術分野】
【０００１】
本発明は、所定の搬送経路に沿って搬送されるシートの端部を検出可能な端部検出手段を有する画像読取装置に関する。
【背景技術】
【０００２】
従来、画像読取装置は、積層状態で載置された原稿を一枚ずつに分離しつつ、所定の搬送経路に沿って搬送し、搬送経路に沿って搬送される過程で、当該原稿の画像を読み取るように構成されている。このような画像読取装置に関する発明として、特許文献１、特許文献２記載の発明が知られている。
【０００３】
特許文献１記載の画像読取装置は、積層状態で載置された原稿を、供給駆動部材と分離部材によって一枚ずつに分離し、当該供給駆動部材、分離部材よりも原稿の搬送方向下流側に配設された原稿先端検知センサによって、分離された原稿の端部を検出するように構成されている。そして、当該特許文献１記載の画像読取装置は、原稿先端検知センサにより、原稿の端部を検知したことに基づいて、読取部による当該原稿画像の読取動作を制御する。
【０００４】
そして、特許文献２記載の画像読取装置は、積層状態で載置された原稿を一枚ずつに分離して搬送する為の構成として、１周クラッチ機構を有するローラを含んで構成されている。当該ローラは、原稿と接触する円筒状の当接部分と、当該当接部分を所定範囲で空転可能に挿通すると共に、駆動源からの駆動により回転する駆動軸と、１周クラッチ機構により構成されている。即ち、当該ローラは、駆動軸に対する当接部分の位置関係に応じて、当接部分が駆動軸と共に回転する状態と、当接部分が駆動軸の回転とは無関係に空転する状態と、の何れかになるように構成されている。そして、当該ローラは、当接部分が駆動軸と共に回転する状態である場合にはじめて、原稿を一枚ずつに分離しつつ搬送する。
【先行技術文献】
【特許文献】
【０００５】
【特許文献１】特開２０００−１７７８６９号公報
【特許文献２】特開２００６−２５６７７７号公報
【発明の概要】
【発明が解決しようとする課題】
【０００６】
一般に、搬送経路に沿って原稿を所定の搬送方向へ搬送する場合、原稿の搬送速度は、搬送経路内における原稿のジャム等の搬送不良を防止するため、搬送方向下流側ほど速く搬送するように構成されている。
【０００７】
ここで、特許文献２記載の画像読取装置においては、積層状態で載置されている原稿を一枚ずつに分離する分離部の構成として、上述したローラを含む構成を採用することによって、連続的に搬送される原稿の間に間隔が形成される。そして、当該間隔は、分離部における原稿の搬送速度と、当該分離部よりも搬送方向下流側における搬送速度（即ち、分離部における搬送速度よりも速い速度）の速度差、及び、当接部が空転しきった状態から駆動軸と共に回転する状態に復帰するまでの期間（以下、復帰期間という）の長さに応じて変化する。
【０００８】
そして、当該復帰期間の長さは、分離部よりも搬送方向下流側における搬送速度で搬送され、且つ、上記分離部を構成するローラと接触している状態である期間の長さに対応する。従って、連続的に搬送される原稿の間に形成される間隔の大きさは、搬送方向に沿った方向における原稿の長さに対応し、原稿のサイズが小さい程、当該間隔は小さくなってしまう。
【０００９】
このような構成に対して、特許文献１記載の画像読取装置のように、原稿の先端を検出するセンサとして、原稿の端部に接触することにより移動する部材と、当該部材の移動に基づき原稿の端部を検出する検出部からなる端部センサを設けた場合について考察する。上述したように、原稿の間における間隔が原稿の長さに応じて変化するため、原稿サイズが小さい場合、端部センサを構成する上記部材の移動が十分に行われず、原稿の端部を正確に検出し得ない場合が生じ、紙間検知ができない不具合を招いてしまうことがある。このような場合、原稿の端部に基づく読取制御を十分に行うことができず、画像の読取精度の低下を招いてしまう。
【００１０】
この点に鑑み、原稿の間に形成される間隔を、原稿のサイズに関係なく、端部センサで原稿の端部を正常に検出可能な程度を確保しようとすると、全てのサイズの原稿の搬送速度を一様に遅くしなければならない。この場合、画像読取装置においては、原稿の読取速度も低下してしまうことになる。
【００１１】
本発明は、所定の搬送経路に沿って搬送されるシートの端部を検出する端部検出手段を有し、当該シートのサイズに関わらず、精度良くシートの端部を検出でき、もって、精度良くシートの画像を読取可能な画像読取装置を提供する。
【課題を解決するための手段】
【００１２】
本発明の一側面に係る画像読取装置は、駆動手段と、分離手段と、搬送手段と、読取手段と、を有し、駆動手段の駆動力に基づいて、分離手段によって分離されたシートを、搬送経路に沿って搬送しつつ、読取手段によって当該シートの画像を読み取る。前記分離手段は、分離ローラを有しており、当該分離ローラは、駆動軸と、当接部と、クラッチ機構を有して構成されている。更に、当該画像読取装置は、減速機構部と、端部検出手段と、サイズ検出手段と、制御手段と、を有している。端部検出手段は、作動部材と、検出部と、を有し、前記分離手段に対して、前記搬送経路上におけるシートの搬送方向下流側に位置において、シートの端部と接触することに基づく作動部材の動作によって、前記シートの端部を検出する。そして、当該画像読取装置は、前記サイズ検出手段によって検出された当該シートのサイズが所定サイズよりも大きい場合、所定の第１搬送速度で当該シートを搬送するように、前記駆動手段を介して、前記搬送手段によるシートの搬送速度を制御する。これにより、当該画像読取装置は、シートが所定サイズよりも大きい場合、所定の第１搬送速度で当該シートを搬送する為、端部検出手段でシートの端部を精度よく検出することができ、もって、当該シートの画像読取に適した制御を行い得る。更に、当該画像読取装置は、前記サイズ検出手段によって検出された当該シートのサイズが所定サイズ以下である場合に、前記第１搬送速度よりも低速な第２搬送速度で当該シートを搬送するように、前記駆動手段を介して、前記搬送手段によるシートの搬送速度を制御する。当該画像読取装置によれば、シートが所定サイズ以下である場合、当該シートは、所定の第１搬送速度よりも低速で第２搬送速度で搬送される。つまり、シートが所定サイズ以下である場合に低速で搬送される。これにより、当該画像読取装置によれば、所定サイズ以下のシートであっても、その間に形成される紙間部分において、端部検出手段が端部を検出する為に要する時間を十分確保することができ、端部検出手段でシートの端部を精度よく検出し得る。この結果、当該画像読取装置は、所定サイズ以下のシートであっても、端部検出手段によるシート端部の検出結果を用いて、当該シートの画像読取に適した制御を行い得る。
【００１３】
そして、本発明の他の側面に係る画像読取装置において、前記サイズ検出手段は、当該シートが、異なる複数のサイズの何れに該当するかを検出する。そして、前記制御手段は、前記サイズ検出手段によって検出された当該シートのサイズが小さい程、低速に規定された搬送速度で当該シートを搬送するように、前記駆動手段を介して、前記搬送手段による当該シートの搬送速度を制御する。この結果、当該画像読取装置によれば、シートのサイズに応じて、適切な搬送速度で搬送することができ、シートの間に形成される間隔を、シートのサイズに対応し、且つ、端部検出手段によるシートの端部の検出に十分な間隔にし得る。この結果、当該画像読取装置は、シートのサイズの影響を受けることなく、シートの端部を精度よく検出でき、もって、当該シートの画像読取に適した制御を行い得る。
【００１４】
又、本発明の他の側面に係る画像読取装置は、解像度設定手段と、搬送速度特定手段と、比較手段と、を有する。当該画像読取装置は、前記比較手段によって、前記サイズ検出手段の検出結果に基づく搬送速度が、前記搬送速度特定手段により特定された搬送速度よりも低速である場合に、前記サイズ検出手段の検出結果に基づく搬送速度で、シートを搬送しつつ、前記読取手段によって画像を読み取り、前記解像度設定手段で設定された解像度で出力する。これにより、当該画像読取装置は、端部検出手段によるシートの端部の検出精度を高く保ちつつ、当該シートの画像の読取結果を、ユーザ所望の解像度で出力し得る。
【００１５】
そして、本発明の他の側面に係る画像読取装置において、前記制御手段は、読取制御手段と、解像度変換手段と、出力手段と、を有する。当該画像読取装置は、前記比較手段によって、前記サイズ検出手段の検出結果に基づく搬送速度が、前記搬送速度特定手段により特定された搬送速度よりも低速である場合に、前記サイズ検出手段の検出結果に基づく搬送速度に対応する解像度で、前記シートの画像を読取手段により読み取り、読み取った画像の解像度を、前記解像度設定手段により設定された解像度に変換して出力する。一般に、シートから高解像度で読み取った画像を設定解像度（低解像度）に変換する場合の方が、シートから設定解像度（低解像度）で読み取る場合に比べて、良好な画像を提供することができる。従って、当該画像読取装置は、ユーザ所望の解像度に係るシートの読取結果を、より良好な状態で提供し得る。
【図面の簡単な説明】
【００１６】
【図１】本実施形態に係る画像読取装置の外観斜視図である。
【図２】画像読取装置の内部構成を示す断面図である。
【図３】ＡＤＦユニットにおける原稿搬送機構部の構成を示す斜視図である。
【図４】ＡＤＦユニットにおけるサイズ検出センサ、端部検出センサの配置を示す断面図である。
【図５】ＡＤＦユニットにおけるサイズ検出センサの配置を示す上面図である。
【図６】サイズ検出センサ、端部検出センサの構成を示す外観図である。
【図７】原稿の分離・搬送時における分離ローラ及びメインローラの動作を示す説明図である。
【図８】画像読取装置の制御系を示すブロック図である。
【図９】サイズ搬送速度特定テーブルの一例を示す説明図である。
【図１０】解像度搬送速度特定テーブルの一例を示す説明図である。
【図１１】画像読取装置の読取制御プログラムのフローチャートである。
【発明を実施するための形態】
【００１７】
以下、本発明に係る画像読取装置を、画像読取装置１に具体化した一実施形態について、図面を参照しつつ詳細に説明する。
【００１８】
尚、以下の説明において、画像読取装置１使用時のユーザの位置を基準にした方向を用いて説明する。即ち、図１における左下側を前側とし、図１における右上側を後側とする。又、画像読取装置１を前側から見たときを左右の基準とし、図１における左上側を左側とし、右下側を右側とする。
【００１９】
図１に示すように、画像読取装置１は、スキャナユニット１０、原稿カバー２０を主に備えて構成されている。スキャナユニット１０は、スキャナ筐体１１と、コンタクトガラス１３と、イメージセンサ１５とを有しており、フラットベッドスキャナ（ＦＢＳ：Flat Bed Scanner）として機能する。スキャナ筐体１１は、略直方体状に形成され、スキャナユニット１０の外殻を構成しており、イメージセンサ１５、スライド軸、駆動モータ等や制御部８０（図８参照）等を内部に収容している。
【００２０】
そして、コンタクトガラス１３は、透明なガラス板やアクリル板等により構成され、スキャナ筐体１１上面に配設されている。当該コンタクトガラス１３は、所謂「プラテンガラス」であり、スキャナ筐体１１の左右方向に沿って長辺が位置するＡ４サイズよりもやや大きな長方形状に形成されている。コンタクトガラス１３上面には、スキャナユニット１０における読取対象である原稿（原稿ＳＡ、原稿ＳＢ、原稿ＳＣ）が載置される。
【００２１】
イメージセンサ１５は、主走査方向（画像読取装置１の前後方向）に所定の読取範囲を有する密着型イメージセンサ（ＣＩＳ：Contact Image Sensor）であり、コンタクトガラス１３の下方において、副走査方向（画像読取装置１の左右方向）に水平に延びるスライド軸に沿って往復移動可能に配設されている。当該イメージセンサ１５は、駆動モータからの駆動力を受け、周知のベルト駆動機構によりコンタクトガラス１３と平行に副走査方向へ往復移動する。
【００２２】
続いて、原稿カバー２０について、図面を参照しつつ詳細に説明する。原稿カバー２０は、スキャナ筐体１１の上面における後端縁側に配設されたヒンジ部１６（図５参照）により、スキャナユニット１０上面（コンタクトガラス１３表面）に対して開閉可能に配設されている。原稿カバー２０をスキャナユニット１０に対して開くと、コンタクトガラス１３が露出し、原稿カバー２０をスキャナユニット１０に対して閉じると、コンタクトガラス１３を含むスキャナユニット１０の上面全体が覆われる（図２参照）。
【００２３】
そして、原稿カバー２０をスキャナユニット１０に対して閉じることにより、原稿カバー２０は、コンタクトガラス１３に載置された原稿をコンタクトガラス１３に密着させる。これにより、当該画像読取装置１は、イメージセンサ１５によって、コンタクトガラス１３上に載置された原稿の画像を、良好な品質で読み取り得る。
【００２４】
当該原稿カバー２０は、原稿載置部２５、排紙トレイ３５、ＡＤＦユニット４０を有して構成されている。そして、原稿載置部２５及び排紙トレイ３５は、原稿カバー２０の右側部分において、上下二段に形成されている（図１、図２参照）。図１に示すように、排紙トレイ３５の一部は、原稿載置部２５によって覆われている。
【００２５】
原稿載置部２５は、原稿トレイ２６及び吸入ガイド部２７によって構成されており、ＡＤＦユニット４０による搬送対象及びスキャナユニット１０による読取対象である原稿が載置される。尚、本実施形態においては、原稿載置部２５は、少なくとも、原稿ＳＡ、原稿ＳＢ、原稿ＳＣの３種類の原稿を載置可能に構成されている（図５参照）。ここで、原稿ＳＡは、所謂、Ａ５サイズ（幅：１４８．５ｍｍ、長さ：２１０ｍｍ）の原稿を意味する。そして、原稿ＳＢは、Ａ４サイズ（幅：２１０ｍｍ、長さ：２９７ｍｍ）の原稿を意味し、原稿ＳＣは、Ｂ５サイズ（幅：１８２ｍｍ、長さ：２５７ｍｍ）の原稿を意味する。
【００２６】
ここで、原稿の幅とは、長方形状の原稿の短辺方向の寸法を示し、原稿の長さとは、当該原稿の長辺方向の寸法を意味する。上記寸法から明らかなように、原稿ＳＢは、原稿ＳＡよりも幅が広く、原稿ＳＣは、原稿ＳＡよりも幅が広く原稿ＳＢよりも幅が狭い。そして、原稿載置部２５において、当該原稿は、原稿の長辺が画像読取装置１の左右方向に沿うように載置されるものとする。
【００２７】
図１等に示すように、吸入ガイド部２７には、一対の原稿ガイド３０が、幅方向へスライド移動可能に配設されており、当該原稿ガイド３０は、原稿載置部２５に載置された原稿の幅方向の位置を規制する。当該吸入ガイド部２７において、何れか一方の原稿ガイド３０を幅方向にスライド移動すると、他方の原稿ガイド３０が連動して相反する方向へスライド移動するように構成されている。これにより、原稿載置部２５に原稿が載置された状態で一方の原稿ガイド３０をスライド移動すると、一対の原稿ガイド３０が原稿の両側縁に当接する。従って、原稿トレイ２６に載置された原稿の幅に関わらず、原稿の中心が常に一定位置となる。
【００２８】
原稿搬送路Ｒは、一端に原稿載置部２５、他端に排紙トレイ３５を接続しており、ＡＤＦユニット４０内部において、縦断面視において横向き略Ｕ字形状に形成されている。原稿搬送路Ｒは、ＡＤＦユニット４０本体を構成するリブやガイド板等の部材によって、原稿が通過可能な所定幅の通路として形成されている。原稿は、原稿搬送路Ｒに沿って原稿載置部２５から搬送されることにより、ＡＤＦユニット４０の左端側で反転され、排紙トレイ３５へ排紙される（図２、図３参照）。
【００２９】
ＡＤＦユニット４０（Auto Document Feeder）は、原稿カバー２０の左側部分に配設されており、原稿載置部２５に載置された原稿を、一枚ずつに分離しつつ、原稿搬送路Ｒに沿って連続的に搬送する。画像読取装置１は、ＡＤＦユニット４０によって、原稿を原稿搬送路Ｒに沿って搬送することで、当該原稿の画像をイメージセンサ１５によって読み取り得る。
【００３０】
そして、当該ＡＤＦユニット４０は、原稿搬送機構部５０と、原稿搬送モータＭ（図８参照）と、減速機構部６５（図３参照）と、サイズ検出センサ７０と、端部検出センサ７５を有している。原稿搬送機構部５０は、吸入ローラ５１と、伝達ギヤ５２と、分離ローラ５５と、メインローラ６０と、第１従動ローラ６１と、第２従動ローラ６２と、排紙ローラ６３と、ピンチローラ６４と、及び減速機構部６５により構成されている。尚、これら吸入ローラ５１〜ピンチローラ６４の周面は原稿搬送路Ｒに露出されている。
【００３１】
吸入ローラ５１は、原稿載置部２５の搬送方向下流側において原稿搬送路Ｒを搬送される原稿の上面に沿う位置に回転自在に軸支されており、原稿搬送モータＭの駆動により、原稿載置部２５に載置された原稿を搬送方向下流側へ搬送する。
【００３２】
伝達ギヤ５２は、吸入ローラ５１及び分離ローラ５５の双方に当接した状態で回転可能に配設されており、分離ローラ５５に伝達された原稿搬送モータＭの駆動力を、吸入ローラ５１に伝達する（図３参照）。従って、吸入ローラ５１は、伝達ギヤ５２を介して伝達された原稿搬送モータＭの駆動力によって、回転駆動する。
【００３３】
分離ローラ５５は、吸入ローラ５１よりも搬送方向下流側において、原稿搬送路Ｒを搬送される原稿の上面に沿う位置に回転自在に軸支されており、当接部５６と、駆動軸５７とにより構成される（図３参照）。当該分離ローラ５５の構成については、後に図面を参照しつつ詳細に説明する。そして、分離ローラ５５は、所定の条件の下、原稿搬送モータＭの駆動に伴って回転し、分離パッド５８と協働することで、一枚の原稿のみを分離して搬送方向下流側へ搬送する。
【００３４】
分離パッド５８は、所定の可撓性及び摩擦係数を有する材料で構成された薄板状の部材であり、吸入ローラ５１よりも搬送方向下流側において、原稿搬送路Ｒを介して、分離ローラ５５と対向する位置に配設されている。そして、当該分離パッド５８は、分離ローラ５５に対向する原稿の下面に接触するように配設されており、当該原稿に摩擦力を付与することによって、分離ローラ５５と協働して、原稿を一枚ずつに分離する。
【００３５】
メインローラ６０は、原稿搬送路Ｒにおいて、分離ローラ５５よりも搬送方向下流側（最も左側）で回転自在に軸支されており、原稿搬送モータＭからの駆動力によって回転駆動される。当該メインローラ６０の周面は、原稿搬送路Ｒにおける側面視略Ｕ字状の湾曲部分を構成する。
【００３６】
第１従動ローラ６１は、メインローラ６０の上側において、原稿搬送路Ｒを介して対向する位置に回転可能に軸支されており、メインローラ６０の回転に伴って従動する。又、第２従動ローラ６２は、メインローラ６０の下側において、原稿搬送路Ｒを介して対向する位置に回転可能に軸支されており、メインローラ６０の回転に伴って従動する。
【００３７】
排紙ローラ６３は、原稿搬送路Ｒの最下流位置に回転可能に軸支されており、吸入ローラ５１、分離ローラ５５、及びメインローラ６０と同様に、原稿搬送モータＭからの駆動力によって回転駆動される。又、ピンチローラ６４は、排紙ローラ６３の周面下側と対向する位置に回転自在に軸支されており、排紙ローラ６３の回転に伴って従動する。
【００３８】
図３に示すように、減速機構部６５は、メインローラ６０の回転軸の一端に配設されたギヤと、分離ローラ５５の駆動軸５７の一端に配設されたギヤを含む複数のギヤにより構成されており、原稿搬送モータＭの駆動力を、メインローラ６０及び分離ローラ５５に伝達する。そして、当該減速機構部６５は、メインローラ６０に対して伝達された駆動力を、当該ギヤ列のギヤ比等により所定の減速比で減速して、分離ローラ５５の駆動軸５７に伝達する。
【００３９】
続いて、本実施形態に係る分離ローラ５５の構成について、図３を参照しつつ詳細に説明する。図３に示すように、分離ローラ５５は、当接部５６と、駆動軸５７により構成されている。当接部５６は、原稿搬送路Ｒ上を搬送される原稿の表面と接触する周面を有する円筒状の部材であり、駆動軸５７に対して回転可能に挿通されている。又、当該当接部５６は、凸部５６Ａを、その側面部における所定位置に有しており、凸部５６Ａは、側面部から軸方向に突出している。
【００４０】
駆動軸５７は、減速機構部６５の一部を構成するギヤを、その一端部に有しており、原稿搬送モータＭの駆動力に基づいて、メインローラ６０よりも低速で回転駆動する。又、駆動軸５７は、その軸芯に対して直交するように形成された駆動伝達部５７Ａを有している。当該駆動伝達部５７Ａは、上述した当接部５６の凸部５６Ａと接触可能に構成されており、当接部５６の凸部５６Ａと接触した状態である場合に、駆動軸５７の駆動力を当接部５６に伝達し、当接部５６を駆動軸５７と共に回転させる。即ち、本実施形態においては、駆動軸５７に対して回転可能に配設された当接部５６の凸部５６Ａと、当該駆動軸５７の駆動伝達部５７Ａによって、本発明におけるクラッチ機構が構成される。
【００４１】
次に、ＡＤＦユニット４０におけるサイズ検出センサ７０、端部検出センサ７５について、図４〜図６を参照しつつ詳細に説明する。尚、図６においては、遮蔽部材７０Ａを、第１遮蔽部材７１Ａ〜第３遮蔽部材７３Ａの総称として示し、検出部７０Ｂを、第１検出部７１Ｂ〜第３検出部７３Ｂの総称と示す。
【００４２】
サイズ検出センサ７０は、原稿載置部２５に載置された原稿の有無及び原稿のサイズを検出するセンサであり、第１センサ７１と、第２センサ７２と、第３センサ７３を有している。
【００４３】
第１センサ７１は、吸入ガイド部２７に載置された原稿ＳＡ（Ａ５サイズ）よりも幅方向の内側（図５では下側）において、吸入ローラ５１よりも搬送方向下流側の吸入ガイド部２７に配設されており、第１遮蔽部材７１Ａと、第１検出部７１Ｂにより構成される。第１遮蔽部材７１Ａは、吸入ガイド部２７に対して鉛直方向に回動可能に軸支されており、その一端が原稿搬送路Ｒ上に突出する状態で保持されている。又、第１遮蔽部材７１Ａの他端は、吸入ガイド部２７の下方に位置し、第１検出部７１Ｂに対して、進入又は退出するように設けられている。
【００４４】
第１検出部７１Ｂは、フォトインタラプタにより構成されており、第１遮蔽部材７１Ａの他端の下方に配設されている。当該第１検出部７１Ｂは、光を出射する発光部と、当該発光部から出射された光を受光する受光部が所定の間隔を隔てて対向配置されている。第１遮蔽部材７１Ａの一端に外力が加えられていない状態では、発光部と受光部との間の光路は、第１遮蔽部材７１Ａの他端によって遮蔽されている（図６（ａ）参照）。このため、発光部から出射された光が受光部に受光されず、第１センサ７１は、ＯＦＦ信号を出力する。原稿が第１遮蔽部材７１Ａに当接し、当該第１遮蔽部材７１Ａが回動すると、第１遮蔽部材７１Ａの他端は、上方に移動して第１検出部７１Ｂの光路を遮蔽する位置から離脱する（図６（ｂ）参照）。これにより、発光部から出射した光が受光部により受光されるため、第１センサ７１は、ＯＮ信号を出力する。
【００４５】
第２センサ７２は、吸入ガイド部２７に載置された原稿ＳＣ（Ｂ５サイズ）の外側であって、且つ、原稿ＳＢ（Ａ４サイズ）の内側において、第１センサ７１よりも搬送方向上流側に配設されており、第２遮蔽部材７２Ａと、第２検出部７２Ｂにより構成される。尚、第２センサ７２は、その配設位置を除き、その構成は第１センサ７１と同様である。第２センサ７２は、原稿載置部２５に載置された原稿との接触に基づく第２遮蔽部材７２Ａの回動に基づいて、ＯＮ信号、ＯＦＦ信号を出力する。
【００４６】
第３センサ７３は、吸入ガイド部２７に載置された原稿ＳＡ（Ａ５サイズ）よりも幅方向の外側であって、且つ、原稿ＳＣ（Ｂ５サイズ）よりも幅方向の内側であって、且つ、搬送方向において、第２センサ７２と同列（第１センサ７１よりも搬送方向上流側）に配設されており、第３遮蔽部材７３Ａと、第３検出部７３Ｂにより構成される。尚、第３センサ７３は、その配設位置を除き、その構成は第１センサ７１と同様である。第３センサ７３は、原稿載置部２５に載置された原稿との接触に基づく第３遮蔽部材７３Ａの回動に基づいて、ＯＮ信号、ＯＦＦ信号を出力する。画像読取装置１は、この第１センサ７１〜第３センサ７３から出力されるＯＮ信号、ＯＦＦ信号のパターンによって、吸入ガイド部２７に載置された原稿のサイズを判別している。
【００４７】
そして、端部検出センサ７５は、メインローラ６０の下部において、原稿搬送路Ｒ上を搬送される原稿（原稿ＳＡ、原稿ＳＢ、原稿ＳＣ）の端部を検出するセンサであり、端部接触部材７５Ａと、端部検出部７５Ｂにより構成される（図６参照）。端部接触部材７５Ａは、メインローラ６０下方に位置する原稿搬送路Ｒに対して、鉛直方向に回動可能に軸支されており、その一端が原稿搬送路Ｒ上に突出する状態で保持されている。端部接触部材７５Ａの他端は、端部接触部材７５Ａの回動に伴って、端部検出部７５Ｂに対して進入又は退出するように設けられている。
【００４８】
端部検出部７５Ｂは、第１検出部７１Ｂ〜第３検出部７３Ｂと同様に、フォトインタラプタにより構成されており、端部接触部材７５Ａの他端の下方に配設されている。当該端部検出部７５Ｂは、光を出射する発光部と、当該発光部から出射された光を受光する受光部が所定の間隔を隔てて対向配置されている。端部接触部材７５Ａの一端に外力が加えられていない状態では、発光部と受光部との間の光路は、端部接触部材７５Ａの他端によって遮蔽されている（図６（ａ）参照）。このため、発光部から出射された光が受光部に受光されず、端部検出センサ７５は、ＯＦＦ信号を出力する。原稿が端部接触部材７５Ａの一端に当接し、当該端部接触部材７５Ａが回動すると、端部接触部材７５Ａの他端は、上方に移動して端部検出部７５Ｂの光路を遮蔽する位置から離脱する（図６（ｂ）参照）。これにより、発光部から出射した光が受光部により受光されるため、端部検出センサ７５は、ＯＮ信号を出力する。
【００４９】
原稿の分離・搬送時における分離ローラ及びメインローラの動作について、図７を参照しつつ詳細に説明する。上述したように、当該画像読取装置１においては、原稿搬送モータＭの駆動力は、減速機構部６５を介して、メインローラ６０の駆動軸及び分離ローラ５５の駆動軸５７に伝達される。従って、駆動軸５７の回転速度（以下、駆動軸回転速度Ｖｓ）は、メインローラ６０の回転速度（メインローラ回転速度Ｖｆ）よりも低速になる。
【００５０】
図７（ａ）に基づいて、原稿載置部２５に載置された原稿を一枚ずつに分離して搬送する際の動作について説明する。先ず、原稿搬送モータＭの駆動を開始すると、メインローラ６０は、メインローラ回転速度Ｖｆで回転すると共に、分離ローラ５５の駆動軸５７は、駆動軸回転速度Ｖｓで回転する。上述したように、分離ローラ５５の当接部５６は、駆動軸５７に対して回転可能に挿通されているが、当接部５６の凸部５６Ａと、駆動軸５７の駆動伝達部５７Ａとが接触している場合は、当該当接部５６は、駆動軸５７の回転に伴って、駆動軸回転速度Ｖｓで回転する。この時、分離ローラ５５の当接部５６が駆動軸回転速度Ｖｓで回転するため、原稿載置部２５の原稿は、分離パッド５８との協働により、一枚ずつに分離されつつ、駆動軸回転速度Ｖｓに基づく搬送速度で搬送される。
【００５１】
次に、図７（ｂ）に示すように、一枚ずつに分離された原稿は、原稿搬送路Ｒに沿って搬送され、メインローラ６０と第１従動ローラ６１の間に到達する。この時、原稿は、搬送方向下流側において、メインローラ６０と接触しつつ、且つ、搬送方向上流側で分離ローラ５５と接触した状態となる。メインローラ回転速度Ｖｆで回転するメインローラ６０との接触により、原稿は、メインローラ回転速度Ｖｆに基づく搬送速度で、原稿搬送路Ｒに沿って搬送される。
【００５２】
ここで、分離ローラ５５において、当接部５６は、駆動軸５７に回転自在に挿通されている。従って、当接部５６は、メインローラ回転速度Ｖｆで搬送される原稿との接触により、メインローラ回転速度Ｖｆで空転する。この時、駆動軸５７は、駆動軸回転速度Ｖｓで回転している為、当接部５６の凸部５６Ａは、メインローラ回転速度Ｖｆと駆動軸回転速度Ｖｓの速度差に従って、駆動軸５７の駆動伝達部５７Ａから離間していく。
尚、当該凸部５６Ａと駆動伝達部５７Ａの間の距離は、「原稿が、搬送方向下流側において、メインローラ６０と接触しつつ、且つ、搬送方向上流側で分離ローラ５５と接触した状態である期間」の長さに比例して増大する。
【００５３】
続いて、図７（ｃ）に示すように、原稿が更に搬送方向下流側に搬送されると、当該原稿は、搬送方向上流側において、分離ローラ５５から離間する。この時、凸部５６Ａと駆動伝達部５７Ａも離間しているため、当該原稿の接触により空転していた当接部５６の回転は停止し、駆動軸５７のみが駆動軸回転速度Ｖｓで回転する状態となる。原稿載置部２５に載置された原稿の分離は、当接部５６の回転が必要となるので、この状態で新たな原稿が分離・搬送されることはない。一方、分離ローラ５５から離間した原稿は、メインローラ６０の回転により、メインローラ回転速度Ｖｆに基づく搬送速度で、原稿搬送路Ｒに沿って搬送される。
【００５４】
図７（ｄ）に示すように、原稿の後端が離れることにより当接部５６の回転が停止した状態で、駆動軸５７が駆動軸回転速度Ｖｓで回転することにより、駆動軸５７の駆動伝達部５７Ａは、再び当接部５６の凸部５６Ａに接触する。これにより、当接部５６は、駆動軸回転速度Ｖｓで回転する駆動軸５７と共に回転し、原稿載置部２５に載置された原稿を、新たに一枚ずつに分離しつつ、駆動軸回転速度Ｖｓで搬送する。この時、先に搬送されていた原稿は、メインローラ６０により、メインローラ回転速度Ｖｆで搬送されていく。つまり、凸部５６Ａと駆動伝達部５７Ａが離間し、再び接触するまでの期間によって、原稿と原稿の間に間隙が形成される。
【００５５】
そして、当該原稿と原稿の間に形成された間隙の存在により、端部接触部材７５Ａが十分に回動することになるので、端部検出部７５Ｂにおける光路を確実に遮断・開放することができる。即ち、当該画像読取装置１によれば、端部検出センサ７５は、原稿と原稿の間に形成された間隙により、各原稿の端部を確実に検出し得る。
【００５６】
次に、画像読取装置１の制御系について、図８を参照しつつ詳細に説明する。上述したように、画像読取装置１は、制御部８０を有しており、当該制御部８０は、ＣＰＵ８１、ＲＯＭ８２、及びＲＡＭ８３によって構成される。ＣＰＵ８１は、所謂、中央演算処理装置であり、ＲＯＭ８２に格納されている読取制御プログラム（図１１等参照）を実行することにより、画像読取装置１を構成する各機構を制御する。
【００５７】
ＲＯＭ８２は、不揮発性の記憶装置であり、画像読取装置１の制御を行う上で必要な制御プログラムやデータテーブル等を格納している。具体的には、ＲＯＭ８２は、後述する読取制御プログラム（図１１参照）等の制御プログラムや、サイズ搬送速度特定テーブル（図９参照）、解像度搬送速度特定テーブル（図１０参照）等のデータテーブルを格納している。ＲＡＭ８３は、ＣＰＵ８１による制御プログラムに基づく演算結果等を一時的に格納する記憶装置である。
【００５８】
制御部８０には、スキャナユニット１０、ＡＤＦユニット４０が接続されている。従って、当該制御部８０は、読取制御プログラム（図１１参照）等に基づいて、イメージセンサ１５による画像の読取制御や、ＡＤＦユニット４０による原稿の搬送に関する制御を行う。
【００５９】
又、制御部８０には、サイズ検出センサ７０（第１センサ７１、第２センサ７２、第３センサ７３）と、端部検出センサ７５が接続されている。従って、制御部８０は、サイズ検出センサ７０（第１センサ７１、第２センサ７２、第３センサ７３）からの検出信号に基づいて、原稿載置部２５における原稿の有無及び、原稿載置部２５に載置された原稿のサイズを検出し得る。又、当該制御部８０は、端部検出センサ７５からの検出信号に基づいて、原稿搬送路Ｒ上の所定位置を通過する原稿の端部を検出し得る。更に、制御部８０は、操作パネル８５と接続されており、当該操作パネル８５を構成する入力キー（図示せず）によって、ユーザの指示が制御部８０に入力される。
【００６０】
続いて、当該画像読取装置１における読取制御プログラムについて、図面を参照しつつ詳細に説明する。当該読取制御プログラムは、ＣＰＵ８１により実行される。図１１に示すように、ＣＰＵ８１は、先ず、解像度設定を行うか否かを判断する（Ｓ１）。ここで、「解像度設定」とは、スキャナユニット１０による原稿の読取結果を出力する際の解像度の設定を意味する。解像度設定を行う場合（Ｓ１：ＹＥＳ）、ＣＰＵ８１は、Ｓ２に処理を移行する。解像度設定を行わない場合（Ｓ１：ＮＯ）、ＣＰＵ８１は、Ｓ３に処理を移行する。
【００６１】
Ｓ２においては、ＣＰＵ８１は、出力解像度設定処理を実行する。出力解像度設定処理（Ｓ２）においては、ＣＰＵ８１は、操作パネル８５上の入力キーを用いたユーザの操作に基づいて、ユーザ所望の出力解像度を設定する。本実施形態においては、「100dpi」「200dpi」「400dpi」から所望の出力解像度を選択することにより、ＣＰＵ８１は、出力解像度を設定する。出力解像度を設定した後、ＣＰＵ８１は、Ｓ１に処理を戻す。
【００６２】
Ｓ３に移行すると、ＣＰＵ８１は、原稿載置部２５に原稿が載置されているか否かを判断する。具体的には、ＣＰＵ８１は、サイズ検出センサ７０からの検出信号（少なくとも、第１センサ７１からのＯＮ信号があるか否か）に基づいて、Ｓ３の判断を行う。原稿載置部２５に原稿がある場合（Ｓ３：ＹＥＳ）、ＣＰＵ８１は、Ｓ４に処理を移行する。一方、原稿載置部２５に原稿がない場合（Ｓ３：ＮＯ）、ＣＰＵ８１は、原稿が載置されるまで処理を待機する。
【００６３】
Ｓ４では、ＣＰＵ８１は、サイズ検出センサ７０（第１センサ７１、第２センサ７２、第３センサ７３）からの検出信号に基づいて、原稿サイズ検出処理を実行する。当該原稿サイズ検出処理（Ｓ４）では、ＣＰＵ８１は、第１センサ７１のみからＯＮ信号が出力されている場合に当該原稿が原稿ＳＡ（Ａ５サイズ）であると検出する。第１センサ７１、第３センサ７３からＯＮ信号が出力されている場合、ＣＰＵ８１は、当該原稿が原稿ＳＢ（Ｂ５サイズ）であると検出する。第１センサ７１〜第３センサ７３からＯＮ信号が出力されている場合、ＣＰＵ８１は、当該原稿が原稿ＳＣ（Ａ４サイズ）であると検出する。原稿サイズ検出処理（Ｓ４）を終了した後、ＣＰＵ８１は、Ｓ５に処理を移行する。
【００６４】
Ｓ５に移行すると、ＣＰＵ８１は、サイズ搬送速度特定処理を実行する。サイズ搬送速度特定処理（Ｓ５）においては、ＣＰＵ８１は、原稿サイズ検出処理（Ｓ４）で検出された原稿サイズと、サイズ搬送速度特定テーブル（図９参照）に基づいて、当該原稿における搬送速度（例えば、メインローラ回転速度Ｖｆの数値）を特定する。尚、サイズ搬送速度特定処理（Ｓ５）において、原稿サイズに基づいて特定された原稿の搬送速度を「サイズ搬送速度」という。特定された「サイズ搬送速度」をＲＡＭ８３に格納した後、ＣＰＵ８１は、Ｓ６に処理を移行する。
【００６５】
図９に示すように、サイズ搬送速度特定テーブルは、原稿サイズ（Ａ５サイズ、Ｂ５サイズ、Ａ４サイズ）に対して、夫々のサイズに適した原稿の搬送速度を対応付けて構成されている。具体的には、サイズ搬送速度特定テーブルにおいて、原稿ＳＡ（Ａ５サイズ）に対しては、所定の第１原稿搬送速度が対応付けられており、原稿ＳＢ（Ｂ５サイズ）に対しては、前記第１原稿搬送速度よりも速い第２原稿搬送速度が対応付けられている。更に、原稿ＳＣ（Ａ４サイズ）に対しては、前記第１原稿搬送速度、第２原稿搬送速度よりも速い第３原稿搬送速度が対応付けられている。
【００６６】
即ち、当該サイズ搬送速度特定テーブルによれば、原稿サイズが小さい程、原稿の搬送速度が低速に設定される。原稿サイズが小さい場合に搬送速度を低速度に設定することで、サイズの小さい原稿同士の間の間隙（紙間部分）が短くても、紙間部分が端部検出センサ７５付近を通過する速度も低速になる。これにより、端部検出センサ７５が原稿の端部を検出する為に要する時間を十分に確保することができ、端部検出センサ７５による原稿端部の検出精度を高めることができる。
【００６７】
Ｓ６においては、ＣＰＵ８１は、解像度搬送速度特定処理を実行する。解像度搬送速度特定処理（Ｓ６）では、ＣＰＵ８１は、出力解像度設定処理（Ｓ２）で設定された出力解像度と、解像度搬送速度特定テーブル（図１０参照）に基づいて、当該原稿における搬送速度（例えば、メインローラ回転速度Ｖｆの数値）を特定する。尚、解像度搬送速度特定処理（Ｓ６）において、出力解像度に基づいて特定された原稿の搬送速度を「解像度搬送速度」という。特定された「解像度搬送速度」をＲＡＭ８３に格納した後、ＣＰＵ８１は、Ｓ７に処理を移行する。
【００６８】
図１０に示すように、解像度搬送速度特定テーブルは、出力解像度（100dpi、200dpi、400dpi）に対して、夫々の出力解像度に適した原稿の搬送速度を対応付けて構成されている。具体的には、解像度搬送速度特定テーブルにおいて、出力解像度「100dpi」に対しては、最も高速な第３原稿搬送速度が対応付けられており、出力解像度「200dpi」に対しては、前記第３原稿搬送速度よりも遅い第２原稿搬送速度が対応付けられている。更に、出力解像度「400dpi」に対しては、前記第３原稿搬送速度、第２原稿搬送速度よりも遅い第１原稿搬送速度が対応付けられている。
【００６９】
Ｓ７では、ＣＰＵ８１は、搬送速度設定処理を実行する。搬送速度設定処理（Ｓ７）では、ＣＰＵ８１は、サイズ搬送速度特定処理（Ｓ５）で特定されたサイズ搬送速度と、解像度搬送速度特定処理（Ｓ６）で特定された解像度搬送速度を比較して、当該原稿の読取時における搬送速度を設定する。具体的には、ＣＰＵ８１は、サイズ搬送速度と、解像度搬送速度を比較した結果、遅い方の搬送速度を、当該原稿の読取時における搬送速度に設定する。搬送速度設定処理（Ｓ７）の終了後、ＣＰＵ８１は、Ｓ８に処理を移行する。
【００７０】
Ｓ８に移行すると、ＣＰＵ８１は、画像読取実行処理を実行する。具体的には、ＣＰＵ８１は、搬送速度設定処理（Ｓ７）で設定された搬送速度で原稿を搬送しつつ、搬送速度設定処理（Ｓ７）で設定された搬送速度と、解像度搬送速度テーブル（図１０参照）に基づいて特定される解像度で、当該原稿の画像をイメージセンサ１５により読み取る。原稿の読取結果をＲＡＭ８３に格納した後、ＣＰＵ８１は、Ｓ９に処理を移行する。
【００７１】
Ｓ９においては、ＣＰＵ８１は、読取データ出力処理を実行する。具体的には、ＣＰＵ８１は、ＲＯＭ８２に格納されている解像度変換プログラムに基づいて、画像読取実行処理（Ｓ８）で読み取った読取結果を、出力解像度設定処理（Ｓ２）で設定された出力解像度に変換して出力する。読取データ出力処理（Ｓ９）の終了後、ＣＰＵ８１は、読取制御プログラムを終了する。尚、サイズ搬送速度特定処理（Ｓ５）で特定されたサイズ搬送速度と、解像度搬送速度特定処理（Ｓ６）で特定された解像度搬送速度とが同じであれば、その共通する搬送速度に設定され、その場合の読取結果は、ユーザが指定した解像度に一致している為、Ｓ９において出力解像度に変換する処理は省略される。
【００７２】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、スキャナ機能を有する画像読取装置１を例として挙げていたが、この態様に限定するものではない。例えば、コピー機能やプリンタ機能等を併せ持つ複合機（Multi Function Device）として実現することも可能である。
【００７３】
又、本実施形態に係る画像読取装置１においては、メインローラ６０に付与された原稿搬送モータＭの駆動力は、減速機構部６５により所定の減速比に従って減速されて、分離ローラ５５の駆動軸５７に伝達されるように構成されているが、この態様に限定されるものではない。例えば、減速機構部６５を配設せずに、分離ローラ５５の駆動軸５７に対して専用の駆動モータを接続するように構成してもよい。この場合、原稿搬送モータＭによる原稿の搬送速度（即ち、メインローラ６０の回転速度）を変化させた場合、所定の減速比を維持しつつ、当該専用の駆動モータによる原稿の搬送速度を変化させることが望ましい。
【００７４】
そして、本実施形態に係る画像読取装置１において、サイズ搬送速度及び解像度搬送速度は、第１原稿搬送速度、第２原稿搬送速度、第３原稿搬送速度で共通しているが、この態様に限定されるものではない。サイズ搬送速度、解像度搬送速度を夫々独立の搬送速度として定義してもよい。又、サイズ搬送速度特定テーブルにおいては、原稿サイズが大きいほど、速い搬送速度が対応付けられていれば、具体的な数値は適宜設定し得る。更に、解像度搬送速度特定テーブルにおいても、高い出力解像度ほど、遅い搬送速度が対応付けられていれば、具体的な数値は適宜設定し得る。
又、本実施形態では、画像読取装置１について説明したが、画像読取装置１の下方に画像形成部に備えた複合機（例えば、コピー機）として、本発明の画像読取装置を適用することも可能である。この場合、制御部８０は、複合機の画像形成部側に収容されていてもよい。
【符号の説明】
【００７５】
１      画像読取装置
１０    スキャナユニット
１５    イメージセンサ
２０    原稿カバー
４０    ＡＤＦユニット
５０    原稿搬送機構部
５５    分離ローラ
５６    当接部
５６Ａ  凸部
５７    駆動軸
５７Ａ  駆動伝達部
６５    減速機構部
７０    サイズ検出センサ
７１    第１センサ
７２    第２センサ
７３    第３センサ
７５    端部検出センサ
８０    制御部
Ｍ      原稿搬送モータ
【図１】
0005273217.tif 000002
【図２】
0005273217.tif 000003
【図３】
0005273217.tif 000004
【図４】
0005273217.tif 000005
【図５】
0005273217.tif 000006
【図６】
0005273217.tif 000007
【図７】
0005273217.tif 000008
【図８】
0005273217.tif 000009
【図９】
0005273217.tif 000010
【図１０】
0005273217.tif 000011
【図１１】
0005273217.tif 000012